(57)【要約】【課題】建物構造体に屋根材及び棟包を設置した後に、外壁材を設置して構成することができ、且つ、屋根材及び棟包の設置時に棟包と建物構造体との間隔を容易に調整することができて、種々の厚みの外壁材の設置に容易に対応することができる片流れ屋根の仕舞い構造を提供する。【解決手段】建物構造体１の屋根下地５上に屋根材２が、この屋根下地５上の棟側に設定された設置領域７よりも軒側に設置される。前記設置領域７に棟包取付具６が設置される。前記棟包取付具６に対して棟包３が設置されている。前記棟包取付具６が、前記設置領域７における軒棟方向の設置位置を調整自在なものである。この棟包取付具６が、棟包３の内面の異なる位置にそれぞれ当接する少なくとも二つの取付片８を具備し、棟包３が前記取付片８に固定されている。【選択図】図１
2009155881.tif 000002
【特許請求の範囲】
【請求項１】
建物構造体に屋根材、棟包及び外壁材を設置して構成される片流れ屋根の仕舞い構造であって、
建物構造体の屋根下地上に屋根材が、この屋根下地上の棟側に設定された設置領域よりも軒側に設置され、前記設置領域に棟包取付具が設置され、前記棟包取付具に対して棟包が設置されており、
前記棟包取付具が、前記設置領域における軒棟方向の設置位置を調整自在なものであり、この棟包取付具が、棟包の内面の異なる位置にそれぞれ当接する少なくとも二つの取付片を具備し、棟包が前記取付片に固定されていることを特徴とする片流れ屋根の仕舞い構造。
【請求項２】
上記棟包取付具が、屋根下地上の上記設置領域上に配置される下地固定片、この下地固定片の棟側端縁に設けられた横取付片、下地固定片の軒側端縁から上方に延出した縦片、及びこの縦片の上端から下地固定片側とは反対側に延出した上取付片を具備し、
屋根材の棟側端部の上面に、この屋根材の上面に配置される固定片と、この固定片の棟側端縁から上方に延出する立片とを具備する水切体が設置され、
前記上取付片が、前記立片の上方に配置されていることを特徴とする請求項１に記載の片流れ屋根の仕舞い構造。
【請求項３】
請求項１又は２に記載の片流れ屋根の仕舞い構造の設置方法であって、建物構造体の屋根下地上に屋根材を、この屋根下地上の棟側に設定された設置領域よりも軒側に設置し、
次いで、前記設置領域における軒棟方向の設置位置が調整自在で、且つ棟包の内面の異なる位置にそれぞれ当接する少なくとも二つの取付片を具備する棟包取付具を、この棟包取付具に棟包を設置した場合に棟包と建物構造体の外壁側の面との間の間隔が外壁材の厚みと一致するように軒棟方向の設置位置を調整して前記設置領域に設置し、
次いで、前記棟包取付具の取付片に棟包を固着して棟包取付具に棟包を設置した後、棟包取付具と建物構造体の外壁側面との間に外壁材を差し入れるようにして、建物構造体に外壁材を設置することを特徴とする片流れ屋根の仕舞い構造の設置方法。
【発明の詳細な説明】
【技術分野】
【０００１】
本発明は、片流れ屋根の仕舞い構造、及びその設置方法に関する。
【背景技術】
【０００２】
建物の屋根構造の一つに、一つの外壁の頂部に棟を形成してこの棟から一方向にのみ勾配を有する屋根を形成した片流れ屋根がある（特許文献１参照）。この片流れ屋根を形成する場合、野地等の屋根下地に屋根材を設置すると共に、棟の仕舞いを行うための棟包を設置することがある。
【０００３】
従来の片流れ屋根における棟包３を用いた仕舞い構造の一例を、図４に示す。この例では、棟木１５及び垂木１６にて支持された野地５ａに屋根材２を設置し、建物の棟部に棟包３を設置している。このとき建物の外壁に笠木２１及び桟木２２を設置し、この笠木２１及び桟木２２を覆うように棟包３を配置して、笠木２１の底面でビス等の固着具２３により棟包３を固定している。また、屋根側においても、固着具２３にて棟包３を固定している。
【０００４】
ここで、軸組等からなる一般的な建物構造体１に屋根材２、棟包３、外壁材４等を設置する場合には、通常、まず屋根材２及び棟包３を先に設置する屋根施工を行い、次いで、外壁材４の設置等の壁施工が行われる。この屋根施工と壁施工は、それぞれ専門の職人により別途に行われる。
【特許文献１】実開平４−９０６１８号公報
【発明の開示】
【発明が解決しようとする課題】
【０００５】
しかし、上記のような片流れ屋根においては、外壁に設置された笠木２１に棟包３を固定していることから、棟包３を設置する前に外壁材４を設置する必要がある。このため、屋根施工をする職人は、まず屋根材２を設置した後、壁施工を行う職人による外壁材４の設置を待ってから、更に棟包３を設置する必要があって、作業効率が悪くなると共に作業日数も増え、施工コストの上昇にも繋がる。また、外壁材４を設置した状態で棟包３が設けられていなければ、棟包３が設置されるまでの間に棟部分から外壁材４の内側に雨水等が浸入してしまうおそれがある。
【０００６】
また、屋根材２を設置する際に、外壁材４の設置を待たずに、棟包３を野地５ａに対して固定することで、屋根材２と棟包３を一緒に設置することも考えられる。この場合は、外壁材４設置前の建物構造体１と棟包３との間に、外壁材４を差し入れるために間隔をあけておく必要がある。
【０００７】
しかし、近年、外壁材４としては種々の種類のものが使用されており、その厚みも一定ではない。このため、建物構造体１と棟包３との間の間隔も、施工の都度、棟包３の設置位置を変更して種々の間隔に調整する必要が生じ、非常に煩雑な作業を要する。
【０００８】
また、外壁材４としてベニヤ板等からなる下地材を設置した後に外装材を設置する場合には、外装材の厚みの変更に応じて下地材の厚みを変更することで、外壁材４全体の厚みを一定にすることも考えられる。しかし、この場合は棟包３の設置位置を常に一定に保つことはできるが、種々の外装材にあわせて種々の厚みの下地材を用意して、その都度適当な下地材を選択しなければならず、煩雑な手間がかかるものであり、またこのような下地材の選択による外壁材４の厚みの制御にも限界がある。
【０００９】
本発明は上記の点に鑑みて為されたものであり、建物構造体に屋根材及び棟包を設置した後に、外壁材を設置して形成することができ、且つ、屋根材及び棟包の設置時に棟包と建物構造体との間隔を容易に調整することができて、種々の厚みの外壁材の設置に容易に対応することができる片流れ屋根の仕舞い構造を提供することを目的とする。
【課題を解決するための手段】
【００１０】
請求項１に係る発明は、建物構造体１に屋根材２、棟包３及び外壁材４を設置して構成される片流れ屋根の仕舞い構造であって、建物構造体１の屋根下地５上に屋根材２が、この屋根下地５上の棟側に設定された設置領域７よりも軒側に設置され、前記設置領域７に棟包取付具６が設置され、前記棟包取付具６に対して棟包３が設置されている。前記棟包取付具６が、前記設置領域７における軒棟方向の設置位置を調整自在なものであり、この棟包取付具６が、棟包３の内面の異なる位置にそれぞれ当接する少なくとも二つの取付片８を具備し、棟包３が前記取付片８に固定されている。
【００１１】
請求項２に係る発明は、請求項１において、上記棟包取付具６が、屋根下地５上の上記設置領域７上に配置される下地固定片９、この下地固定片９の棟側端縁に設けられた横取付片８ａ、下地固定片９の軒側端縁から上方に延出した縦片１０、及びこの縦片１０の上端から下地固定片９側とは反対側に延出した上取付片８ｂを具備する。屋根材２の棟側端部の上面に、この屋根材２の上面に配置される固定片１３と、この固定片１３の棟側端縁から上方に延出する立片１４とを具備する水切体１２が設置されている。前記上取付片８ｂが、前記立片１４の上方に配置されている。
【００１２】
請求項３に係る発明は、請求項１又は２に記載の片流れ屋根の仕舞い構造の設置方法であって、建物構造体１の屋根下地５上に屋根材２を、この屋根下地５上の棟側に設定された設置領域７よりも軒側に設置する。次いで、前記設置領域７における軒棟方向の設置位置が調整自在で、且つ棟包３の内面の異なる位置にそれぞれ当接する少なくとも二つの取付片８を具備する棟包取付具６を、この棟包取付具６に棟包３を設置した場合に棟包３と建物構造体１の外壁側の面との間の間隔Ｗが外壁材４の厚みと一致するように軒棟方向の設置位置を調整して前記設置領域７に設置する。次いで、前記棟包取付具６の取付片８に棟包３を固着して棟包取付具６に棟包３を設置した後、棟包取付具６と建物構造体１の外壁側面との間に外壁材４を差し入れるようにして、建物構造体１に外壁材４を設置する。
【発明の効果】
【００１３】
請求項１に係る発明によれば、屋根材２、棟包３及び外壁材４の設置を行う際、屋根材２及び棟包３の設置を行う職人は、屋根材２を設置した後、別の職人による壁材の設置を待たずに棟包取付具６を設置してこの棟包取付具６に棟包３を設置することができ、作業効率が向上すると共に、作業日数を短縮し、また施工に要するコストを低減することができるものである。また、外壁材４の設置作業を行う際には既に棟包３が設置されているため、外壁材４を設置した時点で棟が閉じた状態となり、外壁材４の設置後に棟から雨水等が浸入することを防止することができるものである。また、建物によって外壁材４を変更する場合でも、棟包取付具６の配置位置を調整することで、種々の厚みを有する外壁材４に対応して、棟包３の設置時に棟包３と建物構造体１の外壁側面との間の間隔Ｗを調整することが容易となり、例えば外装材４ｂの厚みの変更に応じて下地材４ａの厚みを変えて外壁材４全体の厚みを一定にするなどといった手間も不要になるものである。
【００１４】
請求項２に係る発明によれば、棟包取付具６の軒棟方向の配置位置を、下地固定片９が野地５ａ上の設置領域７に配置され、横取付片８ａが野地５ａの棟側端面よりも棟側に配置された状態が維持される範囲で、調整することができる。また、棟包３と屋根材２の上面との間から雨水等が浸入しても、この雨水等は水切体１２の立片１４に阻まれて、それ以上の雨水等の浸入が防止されることとなり、屋内への雨水等の浸入を防止することができるものである。
【００１５】
請求項３に係る発明によれば、屋根材２、棟包３及び外壁材４の設置を行う際、屋根材２及び棟包３の設置を行う職人は、屋根材２を設置した後、別の職人による壁材の設置を待たずに棟包取付具６を設置してこの棟包取付具６に棟包３を設置することができ、作業効率が向上すると共に、作業日数を短縮し、また施工に要するコストを低減することができるものである。また、外壁材４の設置作業を行う際には既に棟包３が設置されているため、外壁材４を設置した時点で棟が閉じた状態となり、外壁材４の設置後に棟から雨水等が浸入することを防止することができるものである。また、建物によって外壁材４を変更する場合でも、棟包取付具６の配置位置を調整することで、種々の厚みを有する外壁材４に対応して、棟包３の設置時に棟包３と建物構造体１の外壁側面との間の間隔Ｗを調整することが容易となり、例えば外装材４ｂの厚みの変更に応じて下地材４ａの厚みを変えて外壁材４全体の厚みを一定にするなどといった手間も不要になるものである。
【発明を実施するための最良の形態】
【００１６】
以下、本発明の実施をするための最良の形態について説明する。
【００１７】
図１は、本発明に係る片流れ屋根の仕舞い構造の一例を示す。この片流れ屋根の仕舞い構造を形成するための施工工程を説明する。
【００１８】
図示の例では、建物構造体１には、棟木１５及び垂木１６で支持される片流れ屋根の野地５ａが設置されている。この野地５ａにて屋根下地５が構成される。
【００１９】
この建物構造体１の野地５ａ上に、屋根材２を設置する。図示の例では、野地５ａの上にはアスファルトルーフィング等の防水シート１７を付設し、この防水シート１７の上に屋根材２を設置している。
【００２０】
このとき、屋根材２は、野地５ａ上の棟側端部から軒側までの一定幅の領域（設置領域７）には設置せず、この設置領域７よりも軒側に設置する。設置領域７の軒棟方向の幅寸法は適宜調整されるが、一定の規格値を定めておくと良い。
【００２１】
屋根材２としては瓦材２ａと、笠木２ｂ，２ｃとが設置されている。図示の瓦材２ａは、金属製の板材を立体的に成形して得られるものであり、この瓦材２ａと野地５ａとの間には、瓦材２ａの変形防止のために、バックアップ材１８が設置されている。この瓦材２ａは、野地５ａ上に軒棟方向及び軒棟方向と直交する方向に並べて、複数個設置される。
【００２２】
また、一方の笠木（下笠木）２ｂは、最も棟側に設置された瓦材２ａの更に棟側に設置される。この下笠木２ｂは瓦材２ａと略同一の厚みを有し、最も棟側に設置された瓦材２ａと接するように設置されている。また、他方の笠木（上笠木）２ｃは、下笠木２ｂの上面から、この下笠木２ｂに軒側で隣接する瓦材２ａの棟側端部の上面に亘って設けられている。このとき、上笠木２ｃと、瓦材２ａの棟側端部の上面との間には、シーラ１９（エプトシーラ等）が介在している。このシーラ１９によって上笠木２ｃと瓦材２ａとの間の防水を行うと共に、瓦材２ａの凹凸形状を埋めて上笠木２ｃが安定して配置されるようにしている。
【００２３】
次に、上笠木２ｃには水切体１２を設置する。水切体１２は、板材を折り曲げ成形するなどして形成することができ、上笠木２ｃの上面及び軒側端面を覆う断面Ｌ字状の固定片１３、この固定片１３の軒側端縁から軒側に延出される垂片２０、固定片１３の棟側端縁から上方に向かって断面Ｌ字状に延出された立片１４とを具備する。垂片２０の軒側の端縁は、瓦材２ａの上面に当接することで、瓦材２ａと上笠木２ｃとの間の雨水等の浸入を更に防止している。この水切体１２の固定片１３は、上笠木２ｃの軒側端面においてビス等の固着具２３で固定される。
【００２４】
次に、棟包取付具６及び棟包３を設置する。
【００２５】
棟包取付具６は、板材を折り曲げ成形するなどして形成することができる。この棟包取付具６は、図３にも示すように、野地５ａ上の上記設置領域７上に配置される下地固定片９、この下地固定片９の一端縁から下方にＬ字状に延出した取付片８（横取付片８ａ）、下地固定片９の他端縁から上方にＬ字状に延出した縦片１０、この縦片１０の上端から下地固定片９側とは反対側にＬ字状に延出した取付片８（上取付片８ｂ）、及びこの上取付片８ｂの端縁から外側の斜め下方へ延出した垂下片１１を、具備する。
【００２６】
この棟包取付具６は、上取付片８ｂ側を軒側に、横取付片８ａ側を棟側に配置した状態で、下地固定片９を野地５ａ上に配置して設置される。このとき、ビス等の固着具２３を下地固定片９側から野地５ａ側に向けて打入するなどして、下地固定片９を野地５ａ上に固定することができる。
【００２７】
このとき、縦片１０は、屋根材２の棟側端面と対向する状態で野地５ａから立設するように配置される。また、上取付片８ｂは、水切体１２の立片１４を乗り越えて、この水切体１２の固定片１３上まで延出するように配置される。また、垂下片１１は、水切体１２の固定片１３に向けて垂下するように配置される。また、横取付片８ａは野地５ａよりも棟側に突出するように配置され、前記野地５ａの棟側端面と対向するように配置される。ここで、縦片１０、上取付片８ｂ及び垂下片１１の寸法は、これらが前記のような状態に配置されるように予め設計しておく。
【００２８】
また、棟包３は断面円弧状を有し、棟を覆うように配置される。このとき棟包３の一端縁は屋根材２上（図示では上笠木２ｃ上）に接し、他端縁は、建物構造体１の外壁側面（外壁材４が設置される面）に所定の間隔Ｗをあけて臨むように配置される。また、棟包３の内面が、棟包取付具６の上取付片８ｂ及び横取付片８ａと接するように配置される。ここで、棟包３の他端縁と建物構造体１の外壁側面との間の間隔Ｗは、この建物構造体１の外壁側面に設置される外壁材４の厚み寸法と合致するように調整する。
【００２９】
棟包３を上記のように配置した状態で、ビス等の固着具２３を棟包３側から上取付片８ｂ側に打入すると共に、固着具２３を棟包３側から横取付片８ａ側に打入することで、棟包３が設置される。
【００３０】
このとき、棟包３の形状、棟包３の一端縁が接する屋根材２の上面（ここでは上笠木２ｃの上面）の位置、野地５ａに対する建物構造体１の外壁側面の軒棟方向の位置、及び棟包取付具６の形状が一定であれば、棟包３の一端縁が屋根材２と接し、且つ棟包３の内面が棟包取付具６の上取付片８ｂ及び横取付片８ａと接する状態では、棟包３の他端縁と建物構造体１の外壁側面との間の間隔Ｗは、野地５ａに対する棟包取付具６の軒棟方向の配置位置に依存する。換言すれば、棟包取付具６の野地５ａに対する軒棟方向の配置位置を調整することで、棟包３の他端縁と建物構造体１の外壁側面との間の間隔Ｗを所望の寸法に調整することができる。
【００３１】
そこで、上記のように棟包取付具６を設置する際には、図２に示すように棟包取付具６の軒棟方向の配置位置を調整して、棟包３の他端縁と建物構造体１の外壁側面との間の間隔Ｗが、この建物構造体１の外壁側面に設置される外壁材４の厚みと合致するようにする。
【００３２】
本実施形態では、棟包取付具６の軒棟方向の配置位置は、下地固定片９が野地５ａ上の設置領域７に配置され、横取付片８ａが野地５ａの棟側端面よりも棟側に配置され、且つ上取付片８ｂが水切体１２の立片１４の上方に配置された状態が維持される範囲で、調整することができる。特に下地固定片９の寸法が、この下地固定片９の縦片１０が水切体１２の立片１４と当接した状態において横取付片８ａが野地５ａの軒側端面よりも棟側に配置されるように調整されていると、下地固定片９の軒棟方向の配置位置を調整することができる範囲は、上取付片８ｂの軒棟方向の寸法と一致する。すなわち、この上取付片８ｂの軒棟方向の寸法を調整することで、下地固定片９の配置位置を調整可能な範囲を、設計することができる。
【００３３】
尚、棟包取付具６の形状は本実施形態のものには限られない。すなわち、棟包取付具６が、野地５ａ上の軒棟方向の設置位置を調整可能であり、且つ棟包３を設置する際に棟包３の内面におけるそれぞれ異なる位置に当接する少なくとも二つの取付片８を具備すれば、本実施形態の場合と同様に、軒棟方向の設置位置を調整することで、棟包３の他端縁と建物構造体１の外壁側面との間の寸法を所望の寸法に調整することができる。
【００３４】
このようにして、屋根材２及び棟包３を設置した後、建物構造体１の外壁側面に外壁材４を設置する。図示の例では外壁材４としてベニヤ板等で形成される下地材４ａを設置した後、外装材４ｂを設置しているが、建物構造体１の外壁側面に設置される部材であれば、破風板等も外壁材４に含まれる。外壁材４は、建物構造体１の外壁側面と、棟包３の他端縁との間の隙間に差し入れて設置する。このとき、上述の通り、棟包３の他端縁と建物構造体１の外壁側面との間の間隔Ｗが、下地材４ａと外装材４ｂを併せた外壁材４の厚みと一致するように調整されているため、前記間隔Ｗが狭すぎて外壁材４を設置できなくなったり、外壁材４と棟包３の他端縁との間に隙間が形成されてこの隙間から雨水が浸入したりするようなことがなくなる。
【００３５】
以上のようにして片流れ屋根の仕舞い構造を構成すると、建物の屋根材２及び外壁材４の設置を行う際に、屋根材２及び棟包３の設置を行う職人は、屋根材２を設置した後、壁材の設置を待たずに続けて棟包３を設置することができる。このため、作業効率が向上すると共に、作業日数を短縮し、また施工に要するコストを低減することができる。また、外壁材４の設置作業を行う際には既に棟包３が設置されているため、外壁材４を設置した時点で棟が閉じた状態となり、外壁材４の設置後に棟から雨水等が浸入することを防止することができる。また、建物によって外壁材４を変更する場合でも、棟包取付具６の配置位置を調整することで、種々の厚みを有する外壁材４に対応して、棟包３の設置時に棟包３の他端縁と建物構造体１の外壁側面との間の間隔Ｗを調整することが可能となり、例えば外装材４ｂの厚みの変更に応じて下地材４ａの厚みを変えて外壁材４全体の厚みを一定にするなどといった手間が不要となる。
【００３６】
また、本実施形態では、仮に棟包３の一端縁と屋根材２の上面（上笠木２ｃに設置された水切体１２の上面）との間から雨水等が浸入しても、この雨水等は棟包取付具６の垂下片１１に阻まれて、それ以上内側に雨水等が浸入することが抑制される。また、雨水等が垂下片１１よりも内側に浸入しても、この雨水等は水切体１２の立片１４に阻まれて、それ以上の雨水等の浸入が防止される。
【図面の簡単な説明】
【００３７】
【図１】本発明の実施の形態の一例を示す断面図である。
【図２】同上の施工工程を示す断面図である。
【図３】同上の実施の形態における棟包取付具を示す側面図である。
【図４】従来技術の一例を示す斜視図である。
【符号の説明】
【００３８】
１    建物構造体
２    屋根材
３    棟包
４    外壁材
５    屋根下地
６    棟包取付具
７    設置領域
８    取付片
８ａ  横取付片
８ｂ  上取付片
９    下地固定片
１０  縦片
１１  垂下片
１２  水切体
１３  固定片
１４  立片
【図１】
2009155881.tif 000003
【図２】
2009155881.tif 000004
【図３】
2009155881.tif 000005
【図４】
2009155881.tif 000006